(57)【特許請求の範囲】
【請求項１】
内周面に雌ネジを設けた上蓋と、該上蓋の雌ネジと係合する注出筒とからなる上蓋付き注出栓であって、
前記注出筒は、外周面に雄ネジが形成された筒状部と、該筒状部の下端から半径方向外方に延出した環状フランジ部とからなり、該筒状部の下端近傍の一部には薄肉のたわみ部が形成され、該環状フランジ部の下面には薄肉の環状スコアが形成され、前記上蓋の下端には、先端が鋭利な突起部が設けられ、該上蓋が前記注出筒に装着されたときに、該突起部が前記たわみ部に対向して位置し、且つ該突起部の先端が前記環状スコアに対向する位置に設けられていることを特徴とする紙容器溶着用上蓋付き注出栓。
【請求項２】
前記突起部の外周を覆うように所定幅を有する環状の突起保護カバー部材が設けられていることを特徴とする請求項１の紙容器溶着用上蓋付き注出栓。
【請求項３】
前記筒状部の下端近傍の一部に設けられている薄肉のたわみ部は、縦断面において、その中央部が該筒状部の内方に折れ曲がりくの字状になっていることを特徴とする請求項１又は２の紙容器溶着用上蓋付き注出栓。
【発明の詳細な説明】
【技術分野】
【０００１】
本発明は、清酒、果汁飲料、調味料、柔軟剤や液体洗剤などに使用される液体用紙容器の頂部に突設される注出栓に関するものであり、詳しくは、使用済みの紙容器本体から樹脂製の注出栓を容易に分離することができる紙容器溶着用注出栓に関する。
【背景技術】
【０００２】
従来、液体を収納する容器として、樹脂製の注出栓を付加した紙容器が広く使用されている。このような液体用紙容器は、例えば図７に示すように、所謂ゲーベルトップ型の紙容器であり、四角柱状の紙容器本体１４０を有し、使用時の便宜性や流通時の密封保持性などから注出栓１１０がその切り妻屋根形の頂部傾斜板１４１に突設されたものが使用されてきた。
このような注出栓の紙容器への取り付けは、紙容器の頂部傾斜板１４１に設けられる注出孔の周縁部の上面や下面に、注出栓１１０のフランジ面を超音波シール法などの融着や接着剤を用いて接着して突設状に設けたものが知られている。例えば、特許文献１には液体用紙容器の注出孔の外周縁部に注出栓のフランジを取り付けたものが記載されている。
【特許文献１】実公平５−３５０５８号公報
【発明の開示】
【発明が解決しようとする課題】
【０００３】
最近、環境保全や省資源の立場から、使用済みの容器包装において、紙部分と樹脂部分とに分別回収して再利用することが求められるようになってきた。
しかし、特許文献１に記載されたような紙容器は、分別回収する場合には、容器本体の紙部分と注出栓の樹脂部分とを分離するため、紙部分である容器本体から注出栓を取り除くに際し、カッターナイフなどの切断具を使用しなければ両者の分別が困難であり、手近に切断具がない場合分別することなく廃棄されることが多かった。
そこで、本発明は、紙容器本体から樹脂部分の注出栓を容易に分離できる紙容器溶着用上蓋付き注出栓を提供することを目的とする。
【課題を解決するための手段】
【０００４】
本発明の紙容器溶着用上蓋付き注出栓は以下の特徴を有する。
すなわち、（１）本発明の紙容器溶着用上蓋付き注出栓は、内周面に雌ネジを設けた上蓋と、該上蓋の雌ネジと係合する注出筒と、からなる上蓋付き注出栓であって、前記注出筒は、外周面に雄ネジが形成された筒状部と、該筒状部の下端から半径方向外方に延出した環状フランジ部とからなり、該筒状部の下端近傍の一部には薄肉のたわみ部が形成され、該環状フランジ部の下面には薄肉の環状スコアが形成され、前記上蓋の下端には、先端が鋭利な突起部が設けられ、該上蓋が前記注出筒に装着されたときに、該突起部が前記たわみ部に対向して位置し、且つ該突起部の先端が前記環状スコアに対向する位置に設けられていることを特徴とする。
（２）本発明の紙容器溶着用上蓋付き注出栓は、前記（１）において、前記突起部の外周を覆うように所定幅を有する環状の突起保護カバー部材が設けられていることを特徴とする。
（３）本発明の紙容器溶着用上蓋付き注出栓は、前記（１）又は（２）において、前記筒状部の下端近傍の一部に設けられている薄肉のたわみ部は、縦断面において、その中央部が該筒状部の内方に折れ曲がりくの字状になっていることを特徴とする。
【発明の効果】
【０００５】
本発明の紙容器溶着用上蓋付き注出栓は、上述の従来の注出栓の問題点を解決したものであり、使用済みの紙容器本体から樹脂製の注出栓を分別回収するときに、カッターナイフなどの切断具を使用することなしに紙容器本体から注出栓を容易に分離できる。
【発明を実施するための最良の形態】
【０００６】
次に、本発明の実施の形態について、詳細に説明する。本実施形態の紙容器溶着用上蓋付き注出栓は、注出筒を紙容器の注出孔に突設状に設けられるものであり、紙容器の注出孔の周縁に融着や接着などで固着され、上蓋と注出筒とからなる。注出筒は、その中心部から内容液を注出する際の液を通過させる筒状部と、紙容器本体の開口部に固着できる面積を有する環状フランジ部とからなり、注出筒の外周面に形成された雄ネジに、上蓋の内周面に形成された雌ネジが係合されて構成される。
【０００７】
注出筒の環状フランジ部は、筒状部の下端から半径方向外方に延出しており、環状フランジ部の下面には薄肉の環状スコアが形成されている。上蓋の下端には、上蓋が注出筒に装着されたときに環状スコアに対向する位置に先端が鋭利な突起部が設けられている。
【０００８】
環状フランジ部は、筒状部の外周の下端から半径方向外方に延出して所定の面積を有し、環状フランジ部の下面又は上面が、紙容器本体の開口部に融着や接着などの手段により紙容器に一体的に固着されている。また、本実施形態の注出栓においては、環状フランジ部の下面に薄肉の環状スコアが設けられており、環状スコアを破断することで紙容器本体から注出栓を分離できるようにしている。
【０００９】
注出筒の筒状部の下端近傍の一部には、薄肉のたわみ部が形成されており、上蓋を押し下げると、たわみ部の中央部が筒状部の内方に容易に折れ曲がり、薄肉のたわみ部に対向して形成されている突起部を環状フランジ部の環状スコアに容易に当接させて破断することが可能となる。なお、たわみ部の形状を、上下方向においてその一部に屈曲部を形成した「くの字状」にすることによって、上蓋を押し下げ動作でたわみ部がより折れ曲がりやすくなり、環状スコアの破断を更に容易にする。
【００１０】
上蓋の下端に設けられている突起部の外周には、突起部を覆うように所定幅の環状の突起保護カバー部材が設けられていることが好ましい。突起部の外周に突起保護カバー部材を設けることにより、上蓋を取り外した時に突起部によって使用者がけがをすることを防止できる。
【００１１】
本実施形態の注出栓は、例えば、射出成形用金型に加熱溶融した樹脂を所定の射出圧で押し込んで成形後冷却させることによって製造される。注出栓の注出筒や上蓋を構成する樹脂材料としては、例えば、熱可塑性樹脂であるオレフィン系樹脂、例えば低密度ポリエチレン（ＬＤＰＥ）、中密度ポリエチレン（ＭＤＰＥ）、高密度ポリエチレン（ＨＤＰＥ）、線状低密度ポリエチレン（ＬＬＤＰＥ）、線状超低密度ポリエチレン（ＬＶＬＤＰＥ）等のポリエチレン（ＰＥ）、ポリプロピレン（ＰＰ）、エチレン−プロピレン共重合体、ポリブデン−１、エチレン−ブテン−１共重合体、プロピレン−ブテン−１共重合体、エチレン−プロピレン−ブテン−１共重合体、エチレン−酢酸ビニル共重合体（ＥＶＡ）、イオン架橋オレフィン共重合体（アイオノマー）、あるいはこれらのブレンド物が採用できる。
また、熱可塑性ポリエステル樹脂全般についても用いることができ、エチレンテレフタレート系熱可塑性ポリエステル（ＰＥＴ）、ポリブチレンテレフタレート（ＰＢＴ）、ポリエチレンナフタレート（ＰＥＮ）等の他のポリエステル、あるいはこれらとポリカーボネートやポリアリレート等とのブレンド物も採用できる。なお、容器との溶着性及び接着性を考慮して選定する必要がある。
【実施例】
【００１２】
次に、本発明の実施例の紙容器溶着用上蓋付き注出栓について、詳細に説明する。
図１は、上蓋と注出筒とから構成される上蓋付き注出栓の全体縦断面図であり、図２は、図１の注出栓から上蓋（ａ）と注出筒（ｂ）とを分離した状態を示す縦断面図である。図３は、図２の上蓋を斜め下方から見た模式的斜視図であり、図４は、図２の注出筒を斜め上方から見た模式的斜視図であり、図５は、図２の注出筒を斜め下方から見た模式的斜視図である。図６は、図１の上蓋付き注出栓を紙容器本体から分離する様子を示す概略断面図である。図７は、図１の上蓋付き注出栓を紙容器から取り外す状態を示す斜視図である。
【００１３】
図１〜図５に示すように、本実施例の紙容器溶着用上蓋付き注出栓１０は、上蓋２０と注出筒３０とから構成され、上蓋２０の内周面には雌ネジ２３が設けられており、注出筒３０の外周面に形成された雄ネジ３３と係合するようになっている。図２（ａ）及び図４からわかるように、注出筒３０から上蓋２０を少ない回転により取り外せるよう上蓋２０の雌ネジ２３と注出筒３０の雄ネジ３３は三条ネジとなっている。
また、雄ネジ３３に対する上蓋２０の雌ネジ２３の締め過ぎを防止するため、雄ネジ３３の下端から下方に延びるストッパー３９が設けられている。
また、注出筒３０は、円筒形状の筒状部３２と環状フランジ部３１とからなり、環状フランジ部３１は、筒状部３２の下端から半径方向外方に円板状に延出した形状を呈しており、さらに環状フランジ部３１の下面には、薄肉の環状スコア３４が筒状部３２の開口部３８周縁に沿って周状に形成されており、環状スコア３４が破断されることで、筒状部３２と、紙容器本体４０と固着されている環状フランジ部３１とに分離されるようになっている。
【００１４】
この注出筒３０の、筒状部３２と環状フランジ部３１との分離は、上蓋２０の下端に設けられている突起部２５によって行われる。すなわち、上蓋２０が注出筒３０に装着されたときに環状スコア３４に対向する位置になるように突起部２５が設けられており、上蓋２０が装着された状態で上蓋２０を押し下げると、突起部２５が環状スコア３４の上方に当接し、さらに押し下げると、環状スコアの一部に破断の起点を形成するようになる。
【００１５】
なお、突起部２５は、その先端が鋭利な状態を呈しているので、突起部２５の外周を覆うように、所定幅を有する環状の突起保護カバー部材２６を上蓋２０のスカート部２２の下端から垂下させるように設けている。すなわち、上蓋２０を取り外した時に突起部２５によって発生する使用者のけがを有効に防止できる。
【００１６】
また、筒状部３２の下端近傍の一部には、筒状部３２の肉厚を部分的に薄くしたたわみ部３７が形成されている。このたわみ部３７は、上蓋２０の雌ネジ２３を注出筒３０の雄ネジ３３に螺合して装着が完了した際に、突起部２５と対応した位置（対向）になるように設定されている。即ち、前述した注出筒３０の雄ネジ２３に形成されているストッパー３９によって上蓋２０の装着完了位置は固定されるため、その完了位置において、たわみ部３７に対向するように突起部２５を上蓋下端に形成していれば良い。従って、上蓋２０を押し下げて、環状スコア３４を破断しようとしたときに、たわみ部３７の中央部が容易に座屈して筒状部３２の内方に折れ曲がり、突起部２５による環状スコア３４の破断を容易に行うことができる。
さらに、たわみ部３７の形状を、上下方向においてその一部を屈曲させて「くの字状」に形成することによって、上蓋２０の押し下げ動作でたわみ部３７がより内方に折れ曲がりやすくなり、環状スコア３４の破断をさらに容易にする。
なお、突起部２５の個数を３個とすることにより、上蓋２０の装着がどの位置から巻き締められても、いずれかの突起部２５が必ずたわみ部３７に対向するように位置するようになる。
【００１７】
実施例の上蓋付き注出栓を、紙容器本体４０から分離する様子を図６及び図７を用いて説明する。使用者は紙容器本体４０の頂部傾斜板４１を開き、上蓋２０が装着された状態の注出栓１０の上蓋２０の天板２１を押し下げ、突起部２５を環状フランジ部３１に当接させる。さらに、上蓋２０の天板２１を押し下げると、突起部２５が環状スコア３４の一部が破断され、そこを起点として環状スコア３４全体に破断が拡がり、紙容器本体４０の頂部傾斜板４１に固着された環状フランジ部３１を残して、注出栓１０を紙容器本体４０から分離される。
上記以外にも、使用者は頂部傾斜板４１を開かず、そのままの状態で上蓋２０を押し下げて突起部２５によって環状スコア３４を破断して、紙容器本体４０内に分離した注出栓１０を落とし、その後頂部傾斜板４１を開いて注出栓１０を取り出すこともできる。
【産業上の利用可能性】
【００１８】
本発明の紙容器溶着用注出栓は、清酒、果汁飲料、調味料、柔軟剤や液体洗剤などに使用される液体用紙容器の頂部に突設される注出栓として用いられるものであり、使用済みの容器包装において、紙容器本体から樹脂部分の注出栓を容易に分離でき分別回収して再利用することができ、産業上の利用可能性がきわめて高い。
【図面の簡単な説明】
【００１９】
【図１】上蓋と注出筒とから構成される実施例の上蓋付き注出栓の全体縦断面図である。
【図２】図１の注出栓から上蓋（ａ）と注出筒（ｂ）とを分離した状態を示す縦断面図である。
【図３】図２の上蓋を斜め下方から見た模式的斜視図である。
【図４】図２の注出筒を斜め上方から見た模式的斜視図である。
【図５】図２の注出筒を斜め下方から見た模式的斜視図である。
【図６】図１の上蓋付き注出栓を紙容器本体から分離する様子を示す概略断面図である。
【図７】図１の上蓋付き注出栓を紙容器から取り外す状態を示す斜視図である。
【符号の説明】
【００２０】
１０  紙容器溶着用上蓋付き注出栓
２０  上蓋
２１  天板
２２  スカート部
２３  雌ネジ
２５  突起部
２６  突起保護カバー部材
３０  注出筒
３１  環状フランジ部
３２  筒状部
３３  雄ネジ
３４  環状スコア
３７  たわみ部
３８  開口部
３９  ストッパー
４０  紙容器本体
４１  頂部傾斜板
【図１】
0005110585.tif 000002
【図２】
0005110585.tif 000003
【図６】
0005110585.tif 000004
【図７】
0005110585.tif 000005
【図３】
0005110585.tif 000006
【図４】
0005110585.tif 000007
【図５】
0005110585.tif 000008